(57)【要約】【課題】装着時に左右を入れ替えて装着可能とされているヘッドホーン等の音声出力装置であって、装着時にスピーカーが前側で頭側部に近く、後側で頭側部から遠くなるようになる音声出力装置を提供する。【解決手段】（ａ）に示すような状態から、固定部１の左右を逆にして装着すると、スピーカー３は、前方で頭側部から遠く、後方で頭側部に近くなるようになってしまい、音質が悪くなる。これを防止するために、本発明の実施の形態においては、（ｂ）に示すように、スピーカー３が、固定部１に対して、ヘッドホーンの装着時の上下方向を向いた回動軸４の回りに回動するようにしている。これにより、ヘッドホーン装着時のスピーカー３の向きを変えることができ、ヘッドホーンを左右どちら向きに装着した場合でも、スピーカー３の向きを変えることにより、スピーカー３が前方で頭側部に近く、後方で頭側部から遠くなるようにすることができる。【選択図】  図１
2008147745.tif 000002
【特許請求の範囲】
【請求項１】
頭部に装着して使用し、音声を出力する音声出力装置であって、耳部と接触する左右の固定部材と、前記固定部材を連結して、前記固定部材を頭部側面の左右に押し付けるような付勢力を与えるヘッドバンド部と、前記固定部材の内部に設けられた音声出力部とを有し、前記音声出力部は、前記固定部材に対して、当該出力装置の装着時の上下方向を軸として回動可能とされていることを特徴とする音声出力装置。
【請求項２】
頭部に装着して使用し、音声を出力する音声出力装置であって、耳部と接触する左右の固定部材と、前記固定部材を連結して、前記固定部材を頭部側面の左右に押し付けるような付勢力を与えるヘッドバンド部と、前記固定部材の内部に設けられた音声出力部とを有し、前記音声出力部は、前記固定部材に対して、当該出力装置の装着時の前後方向に傾いて取り付けられ、かつ、当該出力装置の装着時の左右方向を軸として回動が可能とされていることを特徴とする音声出力装置。
【請求項３】
請求項１又は請求項２に記載の音声出力装置であって、前記音声出力部が回動端にないときに警報を発する機能を有することを特徴とする音声出力装置。
【請求項４】
請求項１から請求項３のうちいずれか１項に記載の音声出力装置であって、前記音声出力部の回動角に応じて、前記固定部が左側用か右側用かを表示する機能を有することを特徴とする音声出力装置。
【発明の詳細な説明】
【技術分野】
【０００１】
本発明は、ヘッドホーンやヘッドマウントディスプレイ等、頭部に装着して使用し、音声を出力する音声出力装置に関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々提案され、ウェアラブルディスプレイと呼ばれている。このようなウェアラブルディスプレイの例は、例えばＷＯ２００４／０６１５１９Ａ１公報（特許文献１）に記載されている。
【０００３】
この映像表示装置は、多くの場合、頭に巻いた形で頭部に装着する構成とされ（ヘッドマウントディスプレイと呼ばれている）、両眼に対応する位置に映像表示系を形成した両眼タイプと左右眼の一方の眼に対応する位置に映像表示系を形成した片眼タイプとがある。このようなウェアラブルディスプレイは、通常は、映像を表示する表示部と音声を出力するヘッドホーンとを有している。又、ヘッドホーンは、音楽観賞用等の音声出力機器として、広く使用されている。
【特許文献１】ＷＯ２００４／０６１５１９Ａ１公報
【発明の開示】
【発明が解決しようとする課題】
【０００４】
このようなヘッドホーン（ヘッドマウントディスプレイに付属しているもの等を含む）において、音声を出力するスピーカーは、耳の形に合わせて、前側で頭側部に近く、後側で頭側部から遠くなるように斜めに配置するようにすると音質が良くなる。一方、特にヘッドマウントディスプレイに使用されるようなヘッドホーンにおいては、装着時に左右を入れ替えて装着可能であることが求められることがある。このようなヘッドホーンでは、上述のようにスピーカーを斜めに配置すると、例えばある状態で装着した場合に、上述のように前側で頭側部に近く、後側で頭側部から遠くなるようになる場合には、その状態と左右を入れ替えて装着した場合には、前側で頭側部から遠く、後側で頭側部に近くなり、音質が悪くなってしまうという問題点がある。
【０００５】
本発明はこのような事情に鑑みてなされたもので、装着時に左右を入れ替えて装着可能とされているヘッドホーン等の音声出力装置であって、装着時にスピーカーが前側で頭側部に近く、後側で頭側部から遠くなるようになる音声出力装置を提供することを課題とする。
【課題を解決するための手段】
【０００６】
前記課題を解決するための第１の手段は、頭部に装着して使用し、音声を出力する音声出力装置であって、耳部と接触する左右の固定部材と、前記固定部材を連結して、前記固定部材を頭部側面の左右に押し付けるような付勢力を与えるヘッドバンド部と、前記固定部材の内部に設けられた音声出力部とを有し、前記音声出力部は、前記固定部材に対して、当該出力装置の装着時の上下方向を軸として回動可能とされていることを特徴とする音声出力装置である。
【０００７】
前記課題を解決するための第２の手段は、頭部に装着して使用し、音声を出力する音声出力装置であって、耳部と接触する左右の固定部材と、前記固定部材を連結して、前記固定部材を頭部側面の左右に押し付けるような付勢力を与えるヘッドバンド部と、前記固定部材の内部に設けられた音声出力部とを有し、前記音声出力部は、前記固定部材に対して、当該出力装置の装着時の前後方向に傾いて取り付けられ、かつ、当該出力装置の装着時の左右方向を軸として回動が可能とされていることを特徴とする音声出力装置である。
【０００８】
前記課題を解決するための第３の手段は、前記第１の手段又は第２の手段であって、前記音声出力部が回動端にないときに警報を発する機能を有することを特徴とするものである。
【０００９】
前記課題を解決するための第４の手段は、前記第１の手段から第３の手段であって、前記音声出力部の回動角に応じて、前記固定部が左側用か右側用かを表示する機能を有することを特徴とするものである。
【発明の効果】
【００１０】
本発明によれば、装着時に左右を入れ替えて装着可能とされているヘッドホーン等の音声出力装置であって、装着時にスピーカーが前側で頭側部に近く、後側で頭側部から遠くなるようになる音声出力装置を提供することができる。
【発明を実施するための最良の形態】
【００１１】
以下、本発明の実施の形態の例を、図を用いて説明する。図１は、本発明の実施の形態の１例であるヘッドホーンを示す概要図である。このヘッドホーンは、図１（ａ）に示すように、頭部の耳部に当ててヘッドホーンを固定する左右の固定部１と、これら２つの固定部１を連結し、固定部１で頭部を挟み込むような付勢力を与えるヘッドバンド部２を有している。固定部１の中には、スピーカー３が設けられ、耳に音声を出力するようになっている。スピーカー３は、図１（ａ）に示すように、前方で頭側部に近く、後方で頭側部から遠くなるように、斜めに設けられている。これは、耳の形状に合致しており、こうすることにより音質が良くなる。
【００１２】
図１（ａ）に示すような状態から、固定部１の左右を逆にして装着すると、スピーカー３は、前方で頭側部から遠く、後方で頭側部に近くなるようになってしまい、音質が悪くなる。これを防止するために、本発明の実施の形態においては、図１（ｂ）に示すように、スピーカー３が、固定部１に対して、ヘッドホーンの装着時の上下方向を向いた回動軸４の回りに回動するようにしている。これにより、ヘッドホーン装着時のスピーカー３の向きを変えることができ、ヘッドホーンを左右どちら向きに装着した場合でも、スピーカー３の向きを変えることにより、スピーカー３が前方で頭側部に近く、後方で頭側部から遠くなるようにすることができる。
【００１３】
図１（ｂ）のような構造とする代わりに、図１（ｃ）に示すように、スピーカー３を、ヘッドホーン装着時の前後方向に傾くようにとりつけ、かつ、ヘッドホーン装着時の左右方向を向いた回動軸５の回りに回動可能なようにしてもよい。この場合、スピーカー３を実線で示す位置から１８０°回動させて、破線で示す位置とすることにより、頭側部に近くなる側と頭側部から遠くなる側を逆転させることができ、図１（ｂ）に示したものと同じ効果を奏することができる。
【００１４】
なお、いずれの場合も、回動端において、スピーカー３が前方で頭側部に近く、後方で頭側部から遠くなるような姿勢になるようにすることが、操作上好ましい。又、スピーカー３の回動角を検出したり、スピーカー３が回動端にあるかどうかを検出することにより、スピーカー３が回動の途中で、スピーカー３の姿勢が、前方で頭側部に近く、後方で頭側部から遠くなるような姿勢となっていないような場合には、警報を発するようにしてもよい。さらに、スピーカー３の回動角を検出したり、スピーカー３がどちらの回動端にあるかどうかを検出することにより、スピーカー３のどちらを右側、他を左側に装着すべきかを表示するようにしてもよい。これらの警報や表示は、音声を用いたり、ＬＥＤ等を用いたりすることができる。又は、ヘッドマウントディスプレイの場合は、映像を表示する表示部に表示してもよい。
【図面の簡単な説明】
【００１５】
【図１】本発明の実施の形態の１例であるヘッドホーンを示す概要図である。
【符号の説明】
【００１６】
１…固定部、２…ヘッドバンド部、３…スピーカー、４…回動軸、５…回動軸
【図１】
2008147745.tif 000003